(57)【要約】【課題】電流測定による蓄電デバイスの良否判定のための寄生抵抗値の測定を適切に行い，検査全体としての精度に寄与する蓄電デバイスの検査方法を，同検査方法を含む製造方法とともに提供すること。【解決手段】蓄電デバイスと外部電源とを接続して構成された回路の電流の収束状況により検査する。蓄電デバイスおよび外部電源の正負の端子同士をそれぞれ接続して回路を構成し，正負の導線間に，抵抗器とスイッチとを直列に配置する。検査開始前にスイッチを一時的に閉じるとともに，そのオン時間を，蓄電デバイスが大容量の場合に小容量の場合よりも長く，小容量の場合に大容量の場合よりも短くする。オン時間内とオン時間以外の時とにおける正負の導線間の電圧を取得し，これらと抵抗器の抵抗値とに基づいて回路の寄生抵抗値を算出する。検査実行時には，外部電源の電圧を蓄電デバイスに印加しつつ，寄生抵抗値に応じて外部電源の電圧を上昇させていく。【選択図】図８
2020012763.tif 000002
【特許請求の範囲】
【請求項１】
蓄電デバイスと外部電源とを接続して構成された回路に流れる回路電流の収束状況により蓄電デバイスの自己放電電流の多寡を検査する，蓄電デバイスの検査方法であって，
蓄電デバイスおよび外部電源の正端子同士および負端子同士をそれぞれ導線で接続して前記回路を構成するとともに，正側の導線と負側の導線との間に，抵抗器とスイッチとを直列接続してなる抵抗路を配置する回路構成過程と，
前記蓄電デバイスの検査開始前に前記スイッチを一時的に閉じるオン時間の長さを，前記蓄電デバイスの蓄電容量に応じて，大容量の場合に小容量の場合よりも長く設定し，小容量の場合に大容量の場合よりも短く設定するオン時間設定過程と，
前記回路構成過程後に，設定された前記オン時間にわたって前記スイッチを一時的に閉じるとともに，前記オン時間内における正負の前記導線間の電圧であるオン電圧と，前記オン時間以外の時における正負の前記導線間の電圧であるオフ電圧とを取得し，これらの電圧値と前記抵抗器の抵抗値とに基づいて，前記回路の寄生抵抗値を算出する抵抗測定過程と，
前記抵抗測定過程後に，前記スイッチが開いている状態で前記外部電源の電圧を前記蓄電デバイスに印加するとともに，前記寄生抵抗値に応じて，前記外部電源の電圧を上昇させたときの前記回路の電流の増加分を前記回路の寄生抵抗の減少分に換算した負値である仮想抵抗値の絶対値が前記回路の寄生抵抗値未満に留まる範囲内で，前記外部電源の電圧を上昇させていきつつ，前記回路の電流値により前記蓄電デバイスの検査を行う検査過程とを行うことを特徴とする蓄電デバイスの検査方法。
【請求項２】
請求項１に記載の蓄電デバイスの検査方法であって，前記オン時間設定過程では，
前記オン時間を，前記抵抗測定過程で使用する電圧センサの電圧分解能が高い場合に低い場合よりも短く設定し，低い場合に高い場合よりも長く設定することを特徴とする蓄電デバイスの検査方法。
【請求項３】
蓄電デバイスを組み立てる組立工程を行い，
組み立てた蓄電デバイスを検査対象として請求項１または請求項２に記載の蓄電デバイスの検査方法を実行することを特徴とする蓄電デバイスの製造方法。
【発明の詳細な説明】
【技術分野】
【０００１】
本発明は，蓄電デバイスの良否を判定する検査方法に関する。さらに詳細には，蓄電デバイスの電圧低下量でなく放電電流量に基づきつつ，諸条件に応じた適切な精度で良否判定を行うことができる，蓄電デバイスの検査方法に関するものである。また，同検査方法を含む蓄電デバイスの製造方法にも関する。
【背景技術】
【０００２】
従来から，二次電池その他の蓄電デバイスの良否を判定する検査技術が種々提案されている。例えば特許文献１では，判定対象とする二次電池を加圧状態で放置する放置工程を行うとともに，その放置工程の前後にて電池電圧を測定することとしている。放置工程の前後での電池電圧の差がすなわち放置に伴う電圧低下量である。電圧低下量が大きい電池は，自己放電量が多いということである。そのため，電圧低下量の大小により二次電池の良否を判定できる，というものである。
【先行技術文献】
【特許文献】
【０００３】
【特許文献１】特開２０１０−１５３２７５号公報
【発明の概要】
【発明が解決しようとする課題】
【０００４】
しかしながら，前記した従来の二次電池の良否判定には，次のような問題点があった。良否判定に時間が掛かることである。良否判定に時間が掛かる理由は，放置工程の放置時間を長く取らないと，有意性があるといえるほどの電圧低下量にならないからである。その原因として，電圧測定時の接触抵抗がある。電圧測定は，二次電池の両端子間に測定計器を接続することで測定される。その際不可避的に，二次電池側の端子と測定計器側の端子との間に接触抵抗が存在し，測定結果は接触抵抗の影響を受けたものとなる。そして接触抵抗は，二次電池側の端子と測定計器側の端子とを接続させる都度異なる。このため，電圧低下量そのものがある程度大きくないと，接触抵抗の測定時ごとのばらつきを無視できないのである。
【０００５】
さらに，電圧測定の精度自体もあまりよくない。電圧測定は，測定時の通電経路での電圧降下の影響をどうしても受けてしまうからである。そして，二次電池側の端子と測定計器側の端子との接触箇所が接続の都度多少異なるため，電圧降下の程度も測定時ごとにばらついてしまうためである。そこで，電圧測定に替えて電流測定を用いることで，自己放電量の測定時間を端出し測定精度を上げることが考えられる。電流は回路内のどこでも一定であるため，電圧測定と異なり接触箇所の影響をほとんど受けないからである。しかしそれでも，単純に電圧測定を電流測定に置き替えるだけで良好な判定が迅速にできるという訳でもない。測定結果は二次電池の充電電圧や測定環境等の諸条件のばらつきに左右されるからである。
【０００６】
ここで，電流測定による検査の実行に際して，検査時の回路の寄生抵抗をあらかじめ知っておくことが，検査時間の短縮のために有益である。そのために寄生抵抗値を事前に測定する過程を設けることが考えられる。しかしこの寄生抵抗値の測定精度も問題となる。寄生抵抗値の測定精度は，後の電流測定の際の測定精度との間でトレードオフの関係にあり，また他の検査条件の影響も受ける。このため，他の検査条件次第では，寄生抵抗値の測定精度が悪くなったり，あるいは逆に，検査の主体である放電電流測定の精度を低下させてしまう場合があった。
【０００７】
本発明は，前記した従来の技術が有する問題点を解決するためになされたものである。すなわちその課題とするところは，電流測定による蓄電デバイスの良否判定のための寄生抵抗値の測定を，他の検査条件に応じて適切な測定時間で行い，検査全体としての精度に寄与する，蓄電デバイスの検査方法を提供することにある。また，同検査方法を含む蓄電デバイスの製造方法をも提供する。
【課題を解決するための手段】
【０００８】
本発明の一態様における蓄電デバイスの検査方法は，蓄電デバイスと外部電源とを接続して構成された回路に流れる回路電流の収束状況により蓄電デバイスの自己放電電流の多寡を検査する方法であって，蓄電デバイスおよび外部電源の正端子同士および負端子同士をそれぞれ導線で接続して回路を構成するとともに，正側の導線と負側の導線との間に，抵抗器とスイッチとを直列接続してなる抵抗路を配置する回路構成過程と，蓄電デバイスの検査開始前にスイッチを一時的に閉じるオン時間の長さを，蓄電デバイスの蓄電容量に応じて，大容量の場合に小容量の場合よりも長く設定し，小容量の場合に大容量の場合よりも短く設定するオン時間設定過程と，回路構成過程後に，設定されたオン時間にわたってスイッチを一時的に閉じるとともに，オン時間内における正負の導線間の電圧であるオン電圧と，オン時間以外の時における正負の導線間の電圧であるオフ電圧とを取得し，これらの電圧値と抵抗器の抵抗値とに基づいて，回路の寄生抵抗値を算出する抵抗測定過程と，抵抗測定過程後に，スイッチが開いている状態で外部電源の電圧を蓄電デバイスに印加するとともに，寄生抵抗値に応じて，外部電源の電圧を上昇させたときの回路の電流の増加分を回路の寄生抵抗の減少分に換算した負値である仮想抵抗値の絶対値が回路の寄生抵抗値未満に留まる範囲内で，外部電源の電圧を上昇させていきつつ，回路の電流値により蓄電デバイスの検査を行う検査過程とを行うものである。
【０００９】
上記態様における蓄電デバイスの検査方法では，まず回路構成過程で，蓄電デバイスおよび外部電源の正端子同士および負端子同士をそれぞれ導線で接続して検査のための回路を構成する。それとともに，正負の導線の間に，抵抗器とスイッチとを直列接続してなる抵抗路を配置する。またオン時間設定過程で，オン時間の長さを設定する。オン時間とは，後の抵抗測定過程にてスイッチを一時的に閉じるのでその閉じている時間の長さである。具体的には，蓄電デバイスの蓄電容量に応じて，大容量の場合に小容量の場合よりも長く設定し，小容量の場合に大容量の場合よりも短く設定する。このオン時間設定過程は，次の抵抗測定過程までに行っておけばよく，回路構成過程に先だって済ませておいてもよい。
【００１０】
そして抵抗測定過程では，設定されたオン時間にわたってスイッチを一時的に閉じる。それとともに，正負の導線間の電圧を，オン時間内とオン時間以外の時とに取得する。前者の電圧がオン電圧であり，後者の電圧がオフ電圧である。そして，これらの電圧値と抵抗器の抵抗値とに基づいて，回路の寄生抵抗値を算出する。算出される寄生抵抗値には，回路中の接触抵抗も含まれている。蓄電デバイスの蓄電容量が大きい場合にはオン時間が長めに設定されているので，オン電圧の測定精度が高く寄生抵抗値の算出精度が高い。その一方で蓄電容量が大きいことにより，オン時間終了後の蓄電デバイスの電圧変動はそれほど大きくない。蓄電デバイスの蓄電容量が小さい場合にはオン時間が短めに設定されているので，オン時間終了後の蓄電デバイスの電圧変動を抑制する利益の方が大きい。
【００１１】
そして検査過程で，スイッチが開いている状態で外部電源の電圧を蓄電デバイスに印加しつつ，回路の電流値を測定する。その際，寄生抵抗値に応じて，外部電源の電圧を上昇させていく。外部電源の電圧の上昇幅は，上昇による回路の電流の増加分を回路の寄生抵抗の減少分に換算した負値である仮想抵抗値の絶対値が回路の寄生抵抗値未満に留まる範囲内とする。これにより短時間で高精度に，蓄電デバイスの良否検査を行うことができる。
【００１２】
上記態様の蓄電デバイスの検査方法ではさらに，オン時間設定過程で，オン時間を，抵抗測定過程で使用する電圧センサの電圧分解能が高い場合に低い場合よりも短く設定し，低い場合に高い場合よりも長く設定することが望ましい。電圧センサの電圧分解能が高い場合にはオン時間が短くても十分に高い精度のオン電圧値が得られる一方，電圧センサの電圧分解能が低い場合にはオン時間をある程度長く取らないと高い精度のオン電圧値が得られないからである。
【００１３】
なお，抵抗器の抵抗値が可変である場合には，抵抗器の抵抗値を，検査対象の蓄電デバイスの蓄電容量が小さい場合に大きく設定し，蓄電容量が大きい場合に小さく設定する可変抵抗設定過程を行うことができる。これにより，回路抵抗値の算出精度自体を最適化することができる。このようにして測定された回路抵抗値の精度は高いので，検査時間をさらに短時間化することができる。
【００１４】
本発明の別の一態様における蓄電デバイスの製造方法では，蓄電デバイスを組み立てる組立工程を行い，組み立てた蓄電デバイスを検査対象として前述のいずれかの蓄電デバイスの検査方法を実行することにより，蓄電デバイスを製造する。これにより，短時間で精度よく不良品を排除しつつ蓄電デバイスを製造することができる。
【発明の効果】
【００１５】
本構成によれば，電流測定による蓄電デバイスの良否判定のための寄生抵抗値の測定を，他の検査条件に応じて適切な測定時間で行い，検査全体としての精度に寄与する，蓄電デバイスの検査方法が提供されている。また，同検査方法を含む蓄電デバイスの製造方法も提供されている。
【図面の簡単な説明】
【００１６】
【図１】実施の形態で用いる検査装置の構成を示す回路図である。
【図２】実施の形態における検査対象たる二次電池の例を示す外観図である。
【図３】実施の形態の検査における電圧および電流の経時変化を示すグラフである。
【図４】出力電圧を一定とした場合の回路電流の推移の例を示すグラフである。
【図５】出力電圧を増加させていった場合の回路電流の推移の例を示すグラフである。
【図６】回路電流の収束状況の仮想抵抗による違いを示すグラフである。
【図７】一時的な放電による電池電圧の変化を示すグラフである。
【図８】設定されるオン時間と検査対象の二次電池の蓄電容量との関係の例を示すグラフ（その１）である。
【図９】設定されるオン時間と検査対象の二次電池の蓄電容量との関係の例を示すグラフ（その２）である。
【図１０】オン時間に掛ける係数と電圧計の分解能との関係の例を示すグラフである。
【図１１】抵抗路の抵抗値と寄生抵抗測定の精度との関係を示すグラフである。
【図１２】図１１の一部を拡大して示すグラフである。
【発明を実施するための形態】
【００１７】
以下，本発明を具体化した実施の形態について，添付図面を参照しつつ詳細に説明する。本形態は，図１の回路図に示される検査装置１３を用いて行う検査方法として，本発明を具体化したものである。図１の検査装置１３は，電源装置２と，正側導線１４と，負側導線１５と，抵抗路１６とを有している。正側導線１４および負側導線１５は，電源装置２の正端子および負端子にそれぞれ接続されている。正側導線１４および負側導線１５の先端にはプローブ７，８が設けられている。抵抗路１６は，正側導線１４と負側導線１５との間に配置されている。抵抗路１６には，抵抗器１７とスイッチ１８とが直列に配置されている。抵抗器１７は可変抵抗である。
【００１８】
検査装置１３はさらに，電圧計１９を有している。電圧計１９は，正側導線１４と負側導線１５との間に抵抗路１６に対して並列に配置されている。電源装置２は，直流電源４と，電流計５と，電圧計６とを有している。直流電源４に対して，電流計５は直列に配置され，電圧計６は並列に配置されている。直流電源４の出力電圧ＶＳは可変である。直流電源４は，図１中の二次電池１に後述するように出力電圧ＶＳを印加するために使用される。電流計５は，回路に流れる電流を計測するものである。電圧計６は，正側導線１４と負側導線１５との間の電圧を計測するものである。なお，電圧計１９が電源装置２の外にあるのに対し，電圧計６は電源装置２に内蔵されているものである。なお直流電源４は，自身が発電機能を有するものに限らず，外部から電力の供給を受けて再供給するものであってもよい。
【００１９】
検査装置１３にはさらに，制御部２２が設けられている。制御部２２は，電源装置２の制御，電圧計１９の指示値の読み取り，抵抗器１７，スイッチ１８の操作を行うものである。制御部２２による電源装置２の制御には，直流電源４の操作，電流計５，電圧計６の指示値の読み取り，が含まれる。
【００２０】
上記のように構成された検査装置１３による蓄電デバイスの検査は，図１に示すように，検査対象とする蓄電デバイスである二次電池１に，電源装置２を接続して回路を組んだ状態で実施される。まず，検査装置１３による二次電池１の検査方法の基本原理を説明する。図１では，電源装置２のプローブ７，８を二次電池１の端子５０，６０に結合させて回路を構成している。さらに図１中の回路には，寄生抵抗Ｒｘが存在する。寄生抵抗Ｒｘには，電源装置２の各部や正側導線１４，負側導線１５の導線抵抗の他に，プローブ７，８と端子５０，６０との間の接触抵抗が含まれる。なお，図１では寄生抵抗Ｒｘがあたかも正側のそれも抵抗路１６よりも二次電池１側にのみ存在するかのように描いているが，これは便宜上のことである。実際には寄生抵抗Ｒｘは，正側および負側，さらに抵抗路１６よりも二次電池１側および電源装置２側を含めた図１の回路全体に分布している。
【００２１】
［基本原理］
二次電池１は，図１中では模式的に示しているが実際には，例えば図２に示すような扁平角型の外観を有するものである。図２の二次電池１は，外装体１０に電極積層体２０を内蔵してなるものである。電極積層体２０は，正極板と負極板とをセパレータを介して積層したものである。外装体１０の内部には電極積層体２０の他に電解液も収容されている。また，二次電池１の外面上には，正負の端子５０，６０が設けられている。なお二次電池１は，図２のような扁平角型のものに限らず，円筒型等他の形状のものでも構わない。二次電池１は，外装体１０に電極積層体２０および電解液を封入して端子５０，６０を取り付けることで組み立てられる。
【００２２】
二次電池１についてさらに説明する。図１中では，二次電池１を模式的に示している。図１中の二次電池１は，起電要素Ｅと，内部抵抗Ｒｓと，短絡抵抗Ｒｐとにより構成されるモデルとして表されている。内部抵抗Ｒｓは，起電要素Ｅに直列に配置された形となっている。短絡抵抗Ｒｐは，電極積層体２０中に侵入していることがある微小金属異物による導電経路をモデル化したものであり，起電要素Ｅに並列に配置された形となっている。
【００２３】
検査装置１３による検査方法では，二次電池１の自己放電量の多寡を検査する。自己放電量が多ければ不良であり少なければ良である。そのためまず，二次電池１を，電源装置２に繋ぐ前に充電する。そして充電後の二次電池１を電源装置２に繋ぎ，その状態で制御部２２により二次電池１の自己放電量を算出する。そしてその算出結果に基づいて二次電池１の良否を判定するのである。
【００２４】
具体的には，充電後の二次電池１を電源装置２に繋ぐ。このとき，電源装置２に繋ぐ充電後の二次電池１は，充電後に通常行われる高温エージングまで終了して電池電圧が安定化した後のものとする。ただし，本形態の検査そのものは常温で行う。二次電池１を電源装置２に繋いだら，直流電源４の出力電圧を調節して，電流計５の読み値がゼロとなるようにする。このときの出力電圧ＶＳは，二次電池１の電池電圧ＶＢの初期値である初期電池電圧ＶＢ１と一致している。
【００２５】
この状態では，出力電圧ＶＳが初期電池電圧ＶＢ１に一致しているとともに，出力電圧ＶＳと二次電池１の電池電圧ＶＢとが逆向きになっている。このため両電圧が打ち消し合い，回路の回路電流ＩＢはゼロとなる。そしてそのまま，電源装置２の出力電圧ＶＳを，初期電池電圧ＶＢ１で一定に維持したまま放置する。
【００２６】
その後の回路３の状況を図３に示す。図３では，横軸を時間とし，縦軸を電圧（左側）および電流（右側）としている。横軸の時間について，図３中の左端である時刻Ｔ１が，上記により初期電池電圧ＶＢ１に等しい出力電圧ＶＳの印加を開始したタイミングである。時刻Ｔ１の後，二次電池１の自己放電により，電池電圧ＶＢは初期電池電圧ＶＢ１から徐々に低下していく。そのため，出力電圧ＶＳと電池電圧ＶＢとの均衡が崩れて，回路に回路電流ＩＢが流れることとなる。回路電流ＩＢは，ゼロから徐々に上昇して行く。回路電流ＩＢは，電流計５により直接に測定される。そして，時刻Ｔ１より後の時刻Ｔ２に至ると，電池電圧ＶＢの低下も回路電流ＩＢの上昇も飽和して，以後，電池電圧ＶＢ，回路電流ＩＢとも一定（ＶＢ２，ＩＢｓ）となる。
【００２７】
なお図３から明らかなように，不良品の二次電池１では良品の二次電池１と比較して，回路電流ＩＢの上昇，電池電圧ＶＢの低下とも急峻である。そのため，不良品の二次電池１の場合の収束後の回路電流ＩＢｓは，良品の二次電池１の場合の収束後の回路電流ＩＢｓより大きい。また，不良品の二次電池１の収束後の電池電圧ＶＢ２は，良品の二次電池１の収束後の電池電圧ＶＢ２より低い。
【００２８】
時刻Ｔ１後の回路の状況が図３のようになる理由を説明する。まず，電池電圧ＶＢが低下する理由は前述の通り二次電池１の自己放電である。自己放電により，二次電池１の起電要素Ｅには自己放電電流ＩＤが流れていることになる。自己放電電流ＩＤは，二次電池１の自己放電量が多ければ大きく，自己放電量が少なければ小さい。前述の短絡抵抗Ｒｐの値が小さい二次電池１では，自己放電電流ＩＤが大きい傾向がある。
【００２９】
一方，時刻Ｔ１の後に電池電圧ＶＢの低下により流れる回路電流ＩＢは，二次電池１を充電する向きの電流である。つまり回路電流ＩＢは，二次電池１の自己放電を抑制する方向に作用し，二次電池１の内部では自己放電電流ＩＤと逆向きである。そして，回路電流ＩＢが上昇して自己放電電流ＩＤと同じ大きさになると，実質的に，自己放電が停止する。これが時刻Ｔ２である。よってそれ以後は，電池電圧ＶＢも回路電流ＩＢも一定（ＶＢ２，ＩＢｓ）となるのである。なお，回路電流ＩＢが収束したか否かについては，既知の手法で判定すればよい。例えば，回路電流ＩＢの値を適当な頻度でサンプリングして，値の変化があらかじめ定めた基準より小さくなったときに収束したと判定すればよい。
【００３０】
ここで前述のように回路電流ＩＢは，電流計５の読み値として直接に把握することができる。そこで，収束後の回路電流ＩＢｓに対して基準値ＩＫを設定しておくことで，二次電池１の良否判定ができることになる。収束後の回路電流ＩＢｓが基準値ＩＫより大きかった場合にはその二次電池１は自己放電量の多い不良品であり，回路電流ＩＢｓが基準値ＩＫより小さかった場合にはその二次電池１は自己放電量の少ない良品である，ということである。
【００３１】
このような判定方法での要処理時間（時刻Ｔ１→時刻Ｔ２）は，背景技術欄で述べた手法での放置時間より短い。また，電流測定であるため判定精度が高い。なお，図３中における収束後の電池電圧ＶＢ２による良否判定はあまりよい手段ではない。電池電圧ＶＢは，必ずしも電圧計６の読み値として正確に現れるものではないからである。以上が，検査装置１３による二次電池１の検査方法の基本原理である。また，二次電池１を製造するに際して，組み立てた未充電の二次電池１をあらかじめ定めた充電状態まで初充電して充電済みの二次電池１とする初充電工程と，充電済みの二次電池１を検査する検査工程とを行うことができる。その検査工程では，前記の検査方法を行えばよい。
【００３２】
ここまでの説明では，直流電源４の出力電圧ＶＳを一定とした。しかしながら出力電圧ＶＳは一定でなければならないという訳ではない。むしろ，出力電圧ＶＳを適宜変化させることで，判定の要処理時間をさらに短縮することができる。以下，これについて説明する。
【００３３】
図４および図５により，出力電圧ＶＳを変化させていくことによる利点を示す。図４は，前述の通り出力電圧ＶＳを一定とした場合の実際の回路電流ＩＢの推移の一例である。図４の例では，出力電圧ＶＳが初期に定めた値のまま一定とされており，回路電流ＩＢの収束（時刻Ｔ２）には約１.５日を要している。図４の１.５日でも電圧測定による判定の場合に比べれば十分に短いのであるが，出力電圧ＶＳを変化させていくことで要処理時間をさらに短縮することができる。図５がその例である。図５の例では，出力電圧ＶＳを上昇させていっており，わずか０.１日で回路電流ＩＢの収束に至っている。
【００３４】
図５のように出力電圧ＶＳを上昇させて行く場合についてさらに説明する。まず，図１の回路における回路電流ＩＢは，直流電源４の出力電圧ＶＳと，電池電圧ＶＢと，寄生抵抗Ｒｘとにより次の（１）式で与えられる。
ＩＢ ＝ （ＶＳ−ＶＢ）／Ｒｘ  ……（１）
【００３５】
ここで出力電圧ＶＳを一定とすれば前述のように，二次電池１の自己放電に伴う電池電圧ＶＢの低下により，回路電流ＩＢが増加していく。回路電流ＩＢが増加して自己放電電流ＩＤと等しい大きさになると，二次電池１の放電が実質的に停止する。これにより前述のように，電池電圧ＶＢ，回路電流ＩＢとも以後一定（ＶＢ２，ＩＢｓ）となる。つまり，収束後の回路電流ＩＢｓが二次電池１の起電要素Ｅの自己放電電流ＩＤを示している。
【００３６】
出力電圧ＶＳを上昇させて行く場合でも（１）式が成り立つこと自体は同じである。ただし，出力電圧ＶＳが上昇する分，出力電圧ＶＳが一定である場合よりも回路電流ＩＢの増加が速いことになる。このため，回路電流ＩＢが自己放電電流ＩＤと同じになるまでの所要時間が短いことになる。これが，前述のように回路電流ＩＢが早期に収束する理由である。ただし，やみくもに出力電圧ＶＳを上昇させたのでは，上昇が行き過ぎてしまうおそれがある。これでは回路電流ＩＢが適切に収束せず，判定ができないことになる。そのため，出力電圧ＶＳの上昇の程度を規制する必要がある。本形態では具体的には，（１）式においてあたかも寄生抵抗Ｒｘが小さくなったかのように見える範囲内で出力電圧ＶＳを上昇させる。寄生抵抗Ｒｘが小さくなればその分回路電流ＩＢが大きくなるからである。
【００３７】
そこで本形態では，図１に示すように，仮想抵抗Ｒｉｍという概念を導入する。仮想抵抗Ｒｉｍは，負またはゼロの抵抗値を持つ仮想的な抵抗である。図１の回路図では仮想抵抗Ｒｉｍが寄生抵抗Ｒｘと直列に挿入されている。実際にこのような抵抗が存在する訳ではないが，出力電圧ＶＳが上昇していく状況を，出力電圧ＶＳは一定として代わりに仮想抵抗Ｒｉｍの抵抗値の絶対値が上昇していくモデルで置き替えて考察するのである。ただし，寄生抵抗Ｒｘと仮想抵抗Ｒｉｍとの合計は，減っては行くものの正でなければならない。以下，寄生抵抗Ｒｘと仮想抵抗Ｒｉｍとの合計を疑似寄生抵抗Ｒｙという。この疑似寄生抵抗Ｒｙを導入したモデルにおける回路電流は，次の（２）式のように表される。
ＩＢ ＝ （ＶＳ−ＶＢ）／（Ｒｘ＋Ｒｉｍ）  ……（２）
【００３８】
ここで，寄生抵抗Ｒｘが５Ωであったとする。すると，仮想抵抗Ｒｉｍが０Ωの場合と−４Ωの場合とでは，回路電流ＩＢが異なる。すなわち，０Ωの場合（測定開始時に相当）の回路電流ＩＢに対して，−４Ωの場合（測定開始後に相当）の回路電流ＩＢは（２）式より５倍となる。疑似寄生抵抗Ｒｙ（＝Ｒｘ＋Ｒｉｍ）が５分の１になっているからである。
【００３９】
上記の（２）式を変形すると，次の（３）式が得られる。
ＶＳ ＝ ＶＢ＋（Ｒｘ＋Ｒｉｍ）＊ＩＢ  ……（３）
【００４０】
（３）式は，疑似寄生抵抗Ｒｙと回路電流ＩＢとの積を電池電圧ＶＢに加えると出力電圧ＶＳになることを示している。疑似寄生抵抗Ｒｙのうち仮想抵抗Ｒｉｍは前述のように実際には存在しないので，出力電圧ＶＳを，電池電圧ＶＢに寄生抵抗Ｒｘと回路電流ＩＢとの積を加えた電圧まで上げることで（３）式を成り立たせることになる。つまり，出力電圧ＶＳを上昇させた分を回路電流ＩＢで割った値が，仮想抵抗Ｒｉｍの絶対値に相当する。
【００４１】
前述のように出力電圧ＶＳを初期電池電圧ＶＢ１に一致させて測定を開始した場合には，適宜の頻度でその時点での回路電流ＩＢに合わせて（３）式により出力電圧ＶＳを上昇させていくことになる。出力電圧ＶＳを上昇させる頻度は，例えば１秒当たり１回程度である。なお頻度が一定である必要はない。こうすることで，検査開始後における回路電流ＩＢの上昇が大きいほど，出力電圧ＶＳの上昇幅も大きいことになる。また，回路電流ＩＢの増加が収束すれば出力電圧ＶＳの上昇も収束することになる。これにより，図５のような測定を実現することができる。
【００４２】
なお，回路電流ＩＢの増加分に対する出力電圧ＶＳの上昇幅は，上記からすれば寄生抵抗Ｒｘと回路電流ＩＢとの積である。すなわち出力電圧ＶＳの上昇幅をΔＶＳで表せば，上昇幅ΔＶＳは次の（４）式で与えられる。
ΔＶＳ ＝ Ｒｘ＊ＩＢ  ……（４）
【００４３】
しかしこれに限らず，（４）式の積に対して１未満の正の係数Ｋを掛けた値としてもよい。係数Ｋの具体的な値は，上記の範囲内で任意であり，あらかじめ定めておけばよい。すなわち，上昇幅ΔＶＳを次の（５）式で計算してもよい。
ΔＶＳ ＝ Ｋ＊Ｒｘ＊ＩＢ  ……（５）
【００４４】
なお，この係数Ｋと寄生抵抗Ｒｘとの積をあらかじめ定数Ｍとして求めておき，この定数Ｍを回路電流ＩＢに掛けることで出力電圧ＶＳの上昇幅ΔＶＳを計算してもよい。このようにする場合には，検査の途中での出力電圧ＶＳは，次の（６）式で算出されることになる。
ＶＳ ＝ ＶＢ＋Ｍ＊ＩＢ  ……（６）
【００４５】
回路電流ＩＢの増加を早期に収束させるという観点からすれば，（４）式の積をそのまま出力電圧ＶＳの上昇幅とするのが最も効果的である。しかしそれでは，寄生抵抗Ｒｘの値の精度その他の理由により，前述の疑似寄生抵抗Ｒｙがマイナスになってしまう事態もありうる。これでは回路電流ＩＢの変化が発散してしまい，必要な測定ができないことになる。そこで上記のように係数Ｋを掛けることで，発散のリスクを軽減することができる。
【００４６】
この係数Ｋについて，次のことが言える。係数Ｋを大きく（１に近く）とれば，仮想抵抗Ｒｉｍと寄生抵抗Ｒｘとの絶対値が近く疑似寄生抵抗Ｒｙが小さいということである。これは，出力電圧ＶＳの上昇が急峻であるということである。このことは，回路電流ＩＢを短時間で収束させることができると期待できる一方，寄生抵抗Ｒｘの精度次第では発散のリスクが大きい。逆に係数Ｋを小さく（１から遠く）とれば，疑似寄生抵抗Ｒｙが大きく，出力電圧ＶＳの上昇が緩やかであるということである。つまり，回路電流ＩＢの収束時間は長くかかるが，寄生抵抗Ｒｘの精度が低くても発散のリスクは小さい。
【００４７】
そこで，実際にこの制御での測定を行うためには，寄生抵抗Ｒｘの値を精度よく知っておく必要がある。寄生抵抗Ｒｘのうち前述のプローブ７，８と端子５０，６０との間の接触抵抗の部分は回路３を組んだ都度異なるものである。このため，プローブ７，８を端子５０，６０に当てる都度，寄生抵抗Ｒｘの値を測定することになる。図１の検査装置１３では，寄生抵抗Ｒｘの値を精密に測定することができる。
【００４８】
［寄生抵抗の測定］
図１の検査装置１３における寄生抵抗Ｒｘの測定手順を説明する。この測定は，プローブ７，８を検査対象の二次電池１の端子５０，６０に接触させた状態で，制御部２２により行われる。電源装置２の出力電圧ＶＳはオフにしておく。なお，抵抗器１７については，ここでは可変抵抗機能を使用せず，抵抗値を固定したままとする。抵抗器１７の可変抵抗機能の使い方については後述する。
【００４９】
検査装置１３での寄生抵抗Ｒｘの測定手順は要するに，スイッチ１８を開いた状態と閉じた状態との２通りの電圧計１９の指示値を取得することである。これにより寄生抵抗Ｒｘの値を算出することができる。すなわち寄生抵抗Ｒｘの値は，次の（７）式で算出される。
Ｒｘ ＝ （Ｖ０−Ｖ１）＊（Ｒ１／Ｖ１）  ……（７）
Ｒ１：抵抗器１７の抵抗値
Ｖ０：スイッチ１８オフでの電圧計１９の指示値
Ｖ１：スイッチ１８オンでの電圧計１９の指示値
【００５０】
この（７）式は次のようにして導出される。まずスイッチ１８のオフ時を考えると，Ｖ０は二次電池１の電池電圧ＶＢそのものである。スイッチ１８のオン時を考えると，その状態での回路電流ＩＢは次式で与えられる。
ＩＢ ＝ ＶＢ／（Ｒ１＋Ｒｘ）
【００５１】
Ｖ１は抵抗器１７の抵抗値Ｒ１と回路電流ＩＢとの積であるから次のように表される。Ｖ１ ＝ Ｒ１＊ＶＢ／（Ｒ１＋Ｒｘ）
＝ Ｒ１＊Ｖ０／（Ｒ１＋Ｒｘ）
【００５２】
これをＲｘについて解くことで（７）式が得られる。こうして本形態では，回路の寄生抵抗Ｒｘが精密に測定される。寄生抵抗Ｒｘが精密に測定された後，プローブ７，８の端子５０，６０への接続を解除することなく維持したまま前述の自己放電量の検査を行うことで，検査時間のさらなる短縮を図ることができる。寄生抵抗Ｒｘの測定精度が高いため，仮想抵抗Ｒｉｍの導入における前述の係数Ｋとして，なるべく１に近い値を使用することができるからである。このため，検査開始後早期に出力電圧ＶＳを上昇させ収束させ，判定を行うことができる。
【００５３】
上記においてＶ０，Ｖ１の測定を，電圧計１９で行う代わりに電源装置２に内蔵されている電圧計６を用いて行ってもよい。つまり，電源装置２に電圧計６が内蔵されていれば，上記の測定は電圧計１９がなくても可能である。また，上記では電源装置２の出力電圧ＶＳはオフにしておくこととしたが，そのことは必須ではない。出力電圧ＶＳがオンであっても，スイッチ１８のオフ時とオン時とで出力電圧ＶＳが同じであれば測定可能である。ただしその場合にはＶ０，Ｖ１の測定は電圧計１９で行った方がよい。
【００５４】
ここで，寄生抵抗Ｒｘを精密測定することによる効果について説明する。寄生抵抗Ｒｘの測定精度が高いほど，前述の疑似寄生抵抗Ｒｙをぎりぎりまで小さくすることができるのである。寄生抵抗Ｒｘの測定精度が低い場合に仮想抵抗Ｒｉｍを寄生抵抗Ｒｘに近い値に設定すると，実際の疑似寄生抵抗Ｒｙがゼロまたはマイナスになってしまうリスクがある。寄生抵抗Ｒｘの測定精度が高ければそうしたリスクは小さいからである。つまり，寄生抵抗Ｒｘの測定精度が高いほど，仮想抵抗Ｒｉｍをぎりぎりまで寄生抵抗Ｒｘに近づけた状況で二次電池１の検査を行うことができる。これにより検査時間を短縮できる。
【００５５】
図６のグラフに，検査開始後における回路電流ＩＢの収束状況を，２水準の仮想抵抗Ｒｉｍについて示す。図６に示すグラフは，以下の条件下での測定例である。
二次電池１の種類：リチウムイオン二次電池
二次電池１の蓄電容量：３５Ａｈ
正極活物質：三元系複合リチウム塩
負極活物質：黒鉛
電解液の電解質：ＬｉＰＦ6
電解液の溶媒：カーボネート系３種混合溶媒
寄生抵抗Ｒｘ：５Ω
【００５６】
図６には，仮想抵抗Ｒｉｍについて，−４.９９Ω（つまり疑似寄生抵抗Ｒｙは０.０１Ω，前述の係数Ｋでいえば０.９９８，実線）と，−４.９Ω（つまり疑似寄生抵抗Ｒｙは０.１Ω，係数Ｋでいえば０.９８，破線）との２通りのグラフを掲載している。まず破線のグラフに着目すると，検査開始後約３時間程度で回路電流ＩＢが収束するに至っている（Ｅ１の丸印参照）。これは，仮想抵抗Ｒｉｍを導入しない場合，すなわち検査開始後に出力電圧ＶＳを一定とする場合と比較して，非常に速く収束しているといえる。そして実線のグラフは疑似寄生抵抗Ｒｙをさらに小さくして得た測定例であるが，収束時間は約１時間程度（Ｅ２の丸印参照）と，破線の場合よりもさらに短くなっている。このように疑似寄生抵抗Ｒｙを小さくすることで，検査時間を短縮できるのである。
【００５７】
［検査の手順］
本形態の検査装置１３における検査の各過程を時系列順に列挙すると，次のようになる。
〈１〉検査対象の二次電池１の検査装置１３へのセット
〈２〉オン時間の設定
〈３〉電圧Ｖ０の測定（寄生抵抗Ｒｘの算出）
〈４〉電圧Ｖ１の測定（寄生抵抗Ｒｘの算出）
〈５〉仮想抵抗Ｒｉｍの設定
〈６〉自己放電測定（検査実行）
【００５８】
ここでは，〈１〉のセットのとき，スイッチ１８をオフにしておくものとする。〈２〉の「オン時間の設定」とは，〈４〉のためにスイッチ１８をオンしてから〈６〉のためにスイッチ１８を再びオフに切り替えるまでの時間（オン時間）を決定することである。その詳細は後述する。〈３〉では，スイッチ１８をオフにしたままで電圧計１９の指示値を取得する。〈４〉では，スイッチ１８をオンに切り替えてから電圧計１９の指示値を取得する。〈５〉では，〈６〉の際において電源装置２の出力電圧ＶＳを上昇させる程度を設定する。そのために前述のように仮想抵抗Ｒｉｍという概念を使用する。そして〈６〉で，回路電流ＩＢの測定による検査を実行する。
【００５９】
上記のうち〈２〉の「オン時間の設定」について説明する。〈４〉のためにスイッチ１８をオンにするということは，抵抗路１６に流れる電流の分，二次電池１が放電するということである。このため，スイッチ１８をオンにしている間，少しずつとはいえ電池電圧ＶＢは低下していく。そして，スイッチ１８をオフに戻すと，すなわち抵抗路１６による放電を終了させると，電池電圧ＶＢが反騰して上昇する。
【００６０】
この状況を図７に示す。図７では，横軸に時間（秒）を取っており，そのゼロ秒のところ（左端）が，スイッチ１８をオフからオンに切り替えた瞬間である。その後電池電圧ＶＢは低下する方向に変化している。縦軸の電池電圧ＶＢは，スイッチ１８がオンである間低下を続け，スイッチ１８をオフに戻す瞬間に最低値となる。その後直ちに少し上昇する。図７中には，オン時間を短く（１分程度）設定した例と長く（３分程度）設定した例との２通りのパターンを示している。
【００６１】
ここで両パターンにおけるスイッチ１８のオフ後の電池電圧ＶＢの反騰幅ＶＲ１，ＶＲ２を比較すると，次のようになっている。すなわち，オン時間が短かった場合の反騰幅ＶＲ１よりも，長かった場合の反騰幅ＶＲ２の方が大きい。同一の二次電池１の場合であれば，オン時間が長い程反騰幅が大きい傾向がある。電池電圧ＶＢの反騰幅が大きいということは，その後の〈６〉での電流測定の精度がその分低いということである。すなわち，〈６〉の電流測定を高精度に行いたいという観点からは，オン時間は短い方がよい。また，検査のトータルの所要時間を短くするという観点からも，オン時間は短い方がよい。その一方で，オン時間の間に〈４〉の電圧測定を行わなければならない。よって，オン時間があまりに短いと，電圧Ｖ１の測定精度が低下してしまう。電圧計１９の応答速度の問題のためである。このため，電圧Ｖ１の測定精度が十分高く得られる程度にはオン時間を長く取る必要がある。
【００６２】
また，図７に示した２つの例は同一の二次電池１についてのものである。実際には，スイッチ１８をオンに切り替えた後の電池電圧ＶＢの変化のパターンは，オン時間の長さによる影響だけではなく，二次電池１の蓄電容量の影響も受ける。二次電池１の蓄電容量が大きいほど，一定量の放電により受ける電池電圧ＶＢへの影響が小さいからである。二次電池１の蓄電容量は，検査対象の二次電池１の仕様により既知の情報である。よって，二次電池１の蓄電容量に応じてオン時間を設定すればよい。すなわち，オン時間の長さを，大容量の場合に小容量の場合よりも長く設定し，小容量の場合に大容量の場合よりも短く設定するのである。オン時間と蓄電容量との具体的な関係は，例えば図８に示すようなリニアな関係でもよいし，図９に示すような段階的な関係でもよい。図８あるいは図９のような関係を，あらかじめ制御部２２に保存しておけばよい。
【００６３】
このようにすることで，二次電池１の蓄電容量に応じてオン時間を適切に設定することができる。すなわち，二次電池１が大容量の場合には比較的長目のオン時間が設定される。それでもスイッチ１８のオフ後の電池電圧ＶＢの反騰は，大容量なのでさほど大きくない。一方，二次電池１が小容量の場合には比較的短目のオン時間が設定される。そのため電池電圧ＶＢの反騰も小さめである。このように二次電池１の蓄電容量の大小に関わらず，スイッチ１８のオフ後の電池電圧ＶＢの反騰幅があまり変わらない。このため，二次電池１の蓄電容量に関わらずほぼ同様の判定精度を期待できる。
【００６４】
なお，図７の縦軸はかなり拡大されたスケールのものではあるが，オン時間中における電池電圧ＶＢは一定ではない。ということは厳密にいえば，〈４〉で測定される電圧Ｖ１は，オン時間中における測定タイミングによる影響を受けるということである。このため，オン時間中における電圧Ｖ１の測定タイミングを，例えば，オン時間の長さに対する比率等により，あらかじめ指定しておくことが望ましい。また，〈３〉の電圧Ｖ０の測定は，オン時間に入る前に行っておいてもよいし，オン時間が終了してから行ってもよい。後者の場合には，スイッチ１８のオフ切り替え後，さらに電池電圧ＶＢの反騰の収束を待ってから測定することが望ましい。
【００６５】
「オン時間の設定」についてはさらに，電圧計１９の分解能に応じた調整を加味するとよりよい。電圧計１９の分解能が高いほど，より高精度に電圧Ｖ０，Ｖ１を測定することができる。このため，電圧計１９の分解能が高ければ，電圧Ｖ０と電圧Ｖ１との差が小さくても有意な電圧差（Ｖ０−Ｖ１）が得られる。したがって，電圧計１９の分解能が高い場合には，オン時間をそれほど長く確保する必要がないのである。なお電圧計１９の分解能はむろん，電圧計１９の仕様により既知の情報である。よって，電圧計１９の分解能に応じてオン時間を設定すればよい。すなわち，オン時間の長さを，電圧分解能が高い場合に低い場合よりも短く設定し，低い場合に高い場合よりも長く設定するのである。
【００６６】
具体的には，図８あるいは図９により蓄電容量から定まるオン時間に対して，電圧分解能が高い場合には短縮し，低い場合には延長することになる。例えば図１０に示されるように電圧分解能により決まる係数を，図８あるいは図９により定められたオン時間に掛けることで，この調整を行うことができる。図１０の関係も，あらかじめ制御部２２に保存しておけばよい。図１０についても，段階的なパターンであってもよい。電圧Ｖ０，Ｖ１を電圧計６で読む場合には電圧計６の電圧分解能による。
【００６７】
上記のようにして設定されたオン時間に従いつつ電圧Ｖ０，Ｖ１を測定することで，寄生抵抗Ｒｘを高精度に算出することができる。このため前述の係数Ｋをぎりぎりまで１に近く設定し，〈６〉の検査を短時間で実行することができる。
【００６８】
［抵抗器１７の可変抵抗機能］
ここまでの説明では，抵抗器１７の抵抗値Ｒ１については論じなかった。しかし実際には，抵抗器１７の抵抗値Ｒ１を最適設定することで，さらに検査時間の短縮を図ることができる。抵抗器１７の最適な抵抗値Ｒ１は二次電池１の蓄電容量に依存する。以下これについて，図１１，図１２により説明する。
【００６９】
図１１は，抵抗値Ｒ１を振った場合の，上記「測定１」の手法により算出される寄生抵抗Ｒｘの精度を示すグラフである。図１１から明らかなように，抵抗値Ｒ１が大きいほど測定精度は低い。これは，寄生抵抗Ｒｘがだいたい数十Ω程度で，さほど大きくないことによる。「測定１」でスイッチ１８をオンして電圧Ｖ１を測定するとき，寄生抵抗Ｒｘと抵抗器１７（抵抗値Ｒ１）とは直列接続状態にある。このためこの状態での回路電流ＩＢは寄生抵抗Ｒｘと抵抗値Ｒ１との和で決まる。図１１に示されるように抵抗値Ｒ１が数千Ω程度にもなる設定である場合には，回路電流ＩＢは抵抗値Ｒ１によりだいたい決まってしまうことになる。このためこのような設定での電圧Ｖ１への寄生抵抗Ｒｘの支配度が低く，寄生抵抗Ｒｘの測定精度も低いのである。図１１中で左方では，すなわち抵抗値Ｒ１が低い場合には，電圧Ｖ１への寄生抵抗Ｒｘによる支配度が相対的に高く，測定精度も高いことになる。
【００７０】
しかしながら抵抗値Ｒ１が低ければ低いほどよい，という訳ではない。図１１中の左上隅の丸印Ｅ３で示す付近を拡大して図１２に示す。図１２中に矢印Ｅ４で示すように，極端に抵抗値Ｒ１が低いと逆に測定精度が低下してしまう。その理由は，極端に抵抗値Ｒ１が低い場合には，スイッチ１８をオンすると二次電池１の両端子間を短絡するに等しい状態となってしまうからである。このため大きな回路電流ＩＢが流れて二次電池１の電圧ＶＢ自体が降下してしまう。したがって結局，高精度な測定ができないのである。
【００７１】
図１２では，抵抗値Ｒ１がだいたい５０〜７０Ω程度のところで測定精度が最高になっている。このように測定精度が最高となるような抵抗値Ｒ１が，抵抗器１７の最適な抵抗値Ｒ１であるといえる。上記のような極低抵抗域での大電流による影響は，二次電池１の蓄電容量が小さいほど大きく現れ，蓄電容量が大きいほど小さく現れる。このため，最適な抵抗値Ｒ１は二次電池１の蓄電容量により異なるのである。つまり最適な抵抗値Ｒ１は，蓄電容量が小さいほど大きく，蓄電容量が大きいほど小さい。
【００７２】
よって，検査対象の二次電池１の蓄電容量に応じて，可変抵抗である抵抗器１７の抵抗値Ｒ１を設定するのである。この設定をした状態で〈３〉および〈４〉の手法を行うことで，寄生抵抗Ｒｘについてより高い測定精度が得られる。そのための二次電池１の蓄電容量自体については，さほどの高精度は要求されない。二次電池１の仕様による規格値で十分であり，個体差までは考慮しなくてもよい。具体的には，検査対象となりうる二次電池１の仕様ごとにあらかじめ，設定すべき抵抗値Ｒ１を定めて記憶しておけばよい。そして，検査対象の二次電池１の仕様に応じて，制御部２２により抵抗器１７の抵抗値Ｒ１を設定する。なお，図１の検査装置１３に実装する抵抗器１７としては，図１１に示したような高抵抗域まで含む広い可変範囲を有するものでなくてもよい。数Ω〜数百Ω程度をカバーしていれば十分である。
【００７３】
そして，上記のようにして抵抗値Ｒ１が決定されると，決定された抵抗値Ｒ１に応じて，回路電流ＩＢの収束測定時における仮想抵抗Ｒｉｍに反映させることができる。すなわち，決定された抵抗値Ｒ１が低いほど仮想抵抗Ｒｉｍを，寄生抵抗Ｒｘに近い値に設定できるのである。これは，決定された抵抗値Ｒ１が低いほど，寄生抵抗Ｒｘの測定精度が高いことによる。その理由は前述の図１１の説明のところで述べた通りである。したがって，抵抗値Ｒ１が低いほど，仮想抵抗Ｒｉｍのための前述の係数Ｋを大きく（より１に近く）設定することができる。つまり，二次電池１の蓄電容量が大きいほど，検査時間は短くて済むのである。
【００７４】
具体的には，検査対象の二次電池１の仕様ごとにあらかじめ，その仕様上の蓄電容量に応じて，抵抗器１７に設定すべき抵抗値Ｒ１を指定しておけばよい。そして検査対象の二次電池１の仕様に応じて，指定されている抵抗値Ｒ１を抵抗器１７に設定すればよい。これにより，二次電池１の仕様に応じた最適な抵抗設定で寄生抵抗Ｒｘを測定し，ごく短時間で検査をすることができる。
【００７５】
以上詳細に説明したように本実施の形態によれば，電流測定により二次電池１の自己放電量の多寡を検査するに際して，検査のための回路の，接触抵抗を含む寄生抵抗Ｒｘをあらかじめ測定する。そのためのスイッチ１８のオン時間を，二次電池１の蓄電容量に応じて設定することとしている。これにより，蓄電容量の大きい二次電池１を検査する場合にはオン時間を長めにして寄生抵抗Ｒｘの測定精度を高くする一方，蓄電容量の小さい二次電池１を検査する場合にはオン時間を短めにして検査の主体である放電電流測定の精度を上げるようにしている。こうすることで，検査対象の二次電池１の蓄電容量の大小に関わらず検査全体としての精度を確保するようにした，二次電池１の検査方法が実現されている。
【００７６】
さらに，寄生抵抗Ｒｘの測定に用いる電圧計１９の分解能もオン時間設定のための考慮に入れることで，より適切なオン時間の設定をすることができる。また，上記の検査方法を二次電池１の組立工程後に行うことで，短時間で精度よく不良品を排除できる二次電池１の製造方法が実現される。
【００７７】
なお，本実施の形態は単なる例示にすぎず，本発明を何ら限定するものではない。したがって本発明は当然に，その要旨を逸脱しない範囲内で種々の改良，変形が可能である。例えば，抵抗路１６における抵抗器１７とスイッチ１８との順序は任意である。また，スイッチ１８の種類としては，アナログスイッチや半導体スイッチ等，何でもよい。
【００７８】
また，本形態の検査方法は，新品として製造された直後の二次電池に限らず，例えば使用済み組電池のリマン処理のため等，中古品の二次電池を対象として行うこともできる。また，単品の二次電池に限らず，複数の二次電池の並列結合体を対象として行うこともできる。ただしその場合の蓄電容量は，並列結合体全体としてのものとなる。また，並列結合体全体としての良否検査に留まり，個々の二次電池を個別に検査したことにはならない。また，判定対象とする蓄電デバイスは，二次電池に限らず，電気二重層キャパシタ，リチウムイオンキャパシタ等のキャパシタであってもよい。
【符号の説明】
【００７９】
１      二次電池
２      電源装置
４      直流電源
５      電流計
６      電圧計
７      プローブ
８      プローブ
１３    検査装置
１４    正側導線
１５    負側導線
１６    抵抗路
１７    抵抗器
１８    スイッチ
１９    電圧計
２２    制御部
Ｒｉｍ  仮想抵抗
【図１】
2020012763.tif 000003
【図２】
2020012763.tif 000004
【図３】
2020012763.tif 000005
【図４】
2020012763.tif 000006
【図５】
2020012763.tif 000007
【図６】
2020012763.tif 000008
【図７】
2020012763.tif 000009
【図８】
2020012763.tif 000010
【図９】
2020012763.tif 000011
【図１０】
2020012763.tif 000012
【図１１】
2020012763.tif 000013
【図１２】
2020012763.tif 000014